(57)【要約】【課題】  運動方向の自由度の高い、着座時における足の運動不足を解消する構造の簡単な運動用具を提供することである。【解決手段】  基台上に立設する支柱枠体の頂部のほぼ中央部に回転支持体を設け、この支持体部から下方に懸垂具を垂下させて、その懸垂具の下方先端部に乗板を施し、この乗板に、着座した状態で両足を乗せて足の平行運動及び揺動運動を行なうことの出来る着座用足振り運動具。【選択図】      図１
2006075548.tif 000002
【特許請求の範囲】
【請求項１】
左右の基台上に立設する門型支柱枠体の頂部略中央に回転支持体を設け、該回転支持体に一端側が可動的に結合する懸垂具を垂下させ、該懸垂具の先端に足の乗板を設けて成る着座用足振り運動具。
【発明の詳細な説明】
【技術分野】
【０００１】  本発明は、着座した状態で足の関節を動かし、筋肉に刺激を与えて、着座時の運動不足を解消する足振り運動具に関するものである。
【背景技術】
【０００２】  人は、長時間着座の状態に置かれていると、運動不足のために、足に血液が溜まり血行が悪くなり、健康を維持するためには、時々立ち上がって屈伸をして膝に刺激を与えたり歩行する等の運動が必要となる。
着座時における足の運動用として、略水平に配置されている支持部材から二本の鎖等の懸垂部材を懸垂し、この懸垂部材の下端にペダルを設けて、このペダルに足を乗せ、着座時には前記支持部材を両手で押えながら、足を懸垂部材の可動範囲内で動かす運動器具或は着座の状態以外の立った姿勢で使用する、基盤上に自在継手を介して、水平方向に回動自在且つ上下方向に揺動自在に、その中央部を支持し両側部上に足を乗せて足の運動を可能とし股関節の動きを滑らかにし大腿部の筋肉を鍛える運動具或は同一出願人による立ち姿勢の状態で基台上に自在継手によって可動的に結合する、表面に適宜間隔で配置される突起片を有する板状体に足を乗せ、特に足裏に刺激を与えて血行を良くする足のバランス健康具等が知られている。しかし、着座しているときに、足下に置き、足を振りながら関節を動かし筋肉に刺激を与えることの出来る簡便な用具は知られていない。【０００３】
【特許文献１】      特開２００１−２１８８６８号公報
【特許文献２】      特開２００２−２００１９４号公報
【特許文献３】      特開  平１１−１８８１２０号公報
【発明の開示】
【発明が解決しようとする課題】
【０００４】  前述の公知技術にあっては、着座の状態での足の運動を実施できる専用の用具ではなく、懸垂紐等の動きに拠る自由度の高いものであるが机の下に置いて簡単に使用することが出来ず、又、台座としての基盤或は基台上に自在継手を介して可動的に結合する板上に足を乗せて運動を促すものにあっては、手で身体を保持する必要があり、水平方向での回動及び上下の揺動は可能であるが左右或は前後の移動が出来ず自由度の低いものとなっている。
上記従来の運動具の抱えている問題を解決し、椅子に着座した状態で、机の下に置いても容易に安定した状態で使用できる足の動作時における自由度の高い簡便な、台座上に立設する支柱の頂部で中央部が自在継手により結合し垂下する可動アームの先端部に足を乗せる乗板を設ける足の運動用具が同一出願人により提案されているが、本発明においては、他の技術的手段によって、前記同様の問題を解決する着座の状態で使用する足の運動用具を提供することを課題としている。
【課題を解決するための手段】
【０００５】  床面に置かれ、少なくとも左右に配置する基台上に立設する門型支柱枠体の頂部の略中央に回転支持体を設け、該回転体支持体に一端側が可動的に結合して垂下する懸垂具の下方先端部に、足を乗せて動かすことの出来る乗板を設けて成るブランコ型の、机の下にも置いて使用できる着座用足振り運動具として課題を解決するものである。
【発明の効果】
【０００６】  着座して机に向かっている状態での足の運動が、本用具を足下に置いて出来ると言う当初の課題を構造の簡単な装置に拠り容易に解決している固有の効果を有し、主に左右の足を平行して動かしての運動が容易と成るものである。
乗板に両足を乗せて、左右に平行移動させると大腿骨などを捻る運動が出来、両足を交互にまたは同時に前後に移動させると膝の関節或は足の関節の運動が出来ることになる。
【発明を実施するための最良の形態】
【０００７】  以下、図面に示す実施例によって本発明の実施の形態について詳述する。
図１は本発明の一実施例を斜視図で示したものであるが、左右に配置する一本の棒状基台１０の上に円形状の門型支柱枠体９を立設し、その頂部の略中央に回転支持体４を設け、回転支持体４に可動的に一端側が結合する二本の懸垂具３を垂下させ、その下方先端部に両足を乗せる一枚の乗板１を互いに環結合する止具２で接続させて全体を構成しているもので、回転支持体４の上部を蓋８で覆っている。【０００８】  図２は同図回転支持体４の一実施例を示す構成図である。
門型支柱枠体９に設ける回転支持体４は、薄い円筒状に形成されて、一部に、回転爪（図省略）を有する回転体６の回転爪が案内されて摺動する溝状の爪軌道部５が施されており、その円筒内に回転体６が収まり９０度の角度で向きが可変となるように構成されている。回転体６の下側で止具２と環結合して垂下する二本の懸垂具３を設け、図の紙面に対して平行な状態から回転体６を廻して懸垂具３を紙面に対して垂直に向きを変えることが出来るようになっている。
従って、両足を揃えての二支点に拠る左右前後の平行運動が可能となる。【０００９】  図３は同実施例の使用状態を示すものであり、図の場合には両足を揃えて左右に振っての平行運動と前後の揺動運動を椅子に座った状態で出来ることになり、回転体６を９０度回転させると前後の平行運動と左右の揺動運動が可能となる。【００１０】  以上、一つの実施例に従って本発明の実施態様について記したが、この実施例以外に、図示しないが、基台１０を板状に形成し門型支柱枠体９を円形ではなく例えば角型に形成して四角形で構成すること等、懸垂具３の個数を二本に限定するものではなく単数或は四本等に設けること、回転支持体４の構成も縦横に設ける枠体のそれぞれに互いに嵌合する孔とボルトで構成しボルトの締め加減によって足で操作する力を可変にすること等、乗板を一枚ではなく二本の懸垂具３のそれぞれに設けること等の変更は設計的事項であり本発明の技術的範囲内で自由であり、更に懸垂具３も棒材、細長の平板材或は鎖等を使用する設計も自由である。
基本的には、両足を揃えての或は交互に、左右の平行運動と前後の揺動運動と及び前後の平行運動と左右の揺動運動を可能とする、基台上に立設する門型支柱枠体から懸垂具を垂下させ、その下方先端部に足の乗板を設けて成ることが本発明における技術的思想の要件である。
【産業上の利用可能性】
【００１１】  一般の家庭のみならず、公共施設内でも、机に向かって長時間着座の状態で仕事をする場合に手軽に    利用できるものとなる。
【図面の簡単な説明】
【００１１】
【図１】  本発明の一実施例を示す斜視図である。
【図２】  同実施例における回転支持体の構成図である。
【図３】  同実施例の使用状態を示す斜視図である。
【符号の説明】
【００１２】１    乗板
２    止具
３    懸垂具
４    回転支持体
６    回転体
８    蓋
９    門型支柱枠体
１０  基台
【図１】
2006075548.tif 000003
【図２】
2006075548.tif 000004
【図３】
2006075548.tif 000005